(57)【要約】【課題】複数本の角ワイヤーと端子との同時接続を容易に行うことができる角ワイヤーを用いた電源配索構造を提供することを目的とする。【解決手段】角ワイヤーを用いた電源配索構造であって、１本の角ワイヤー１を任意の長さで折り曲げ、さらに折返して折返し接続部２を形成し、この折返し接続部２から並行する２本の角ワイヤー１、１が形成されて、２本の角ワイヤー１が繋がれて新たな１本の角ワイヤー３が形成され、前記折返し接続部２を端子４に溶接接続することにより電源配索構造５が構成されていることを特徴とする。【選択図】　　図１
2004023844.tif 000002
【特許請求の範囲】
【請求項１】
角ワイヤーを用いた電源配索構造であって、１本の角ワイヤーを任意の長さで折り曲げ、さらに折返して折返し接続部を形成し、この折返し接続部から並行する２本の角ワイヤーが形成されて、２本の角ワイヤーが繋がれて新たな１本の角ワイヤーが形成され、前記折返し接続部を端子に溶接接続することにより電源配索構造が構成されていることを特徴とする角ワイヤーを用いた電源配索構造。
【請求項２】
請求項１記載の角ワイヤーを用いた電源配索構造であって、前記折返し接続部が平面的に折り返されていることを特徴とする角ワイヤーを用いた電源配索構造。
【発明の詳細な説明】
【０００１】
【発明の属する技術分野】
本発明は、車両の電源配索部材として、線条バスバーである角ワイヤーを用いた電源配索構造に関する。
【０００２】
【従来の技術】
車両の電源配索部材として、従来図３に示すように、電線４０を導電路として単体のコネクタ端子４１に接続することにより回路配索している。
【０００３】
ところが、上記の回路配索では、コネクタ端子４１と電線４０を接続するための圧接等の接続工程４２が必要であり、コストアップの要因となっていた。　そこで、近来、車両の電源配索部材の一つとして、図５に示すように、線条バスバーである角ワイヤー３０が用いられているが、この角ワイヤー３０は、従来の電線４０と比べて被膜が無いため薄く、また、角ワイヤー３０自身が端子３１となるのでコネクタ端子４１との圧接等の接続工程４２が要らないという利点がある。
【０００４】
【発明が解決しようとする課題】
しかしながら、図５及び図６に示すように、幅の狭い角ワイヤー３０が１本では流せる電流値に限界があり、より多く電流値を流すために電流値に対応した端子３２との接続を考えたとき、接続する角ワイヤー３０の本数を増やす方法として、例えば、図４（ａ）、（ｂ）は、２本の角ワイヤー３０を端子３２の表裏に重ね合わせた配置とし溶接接続３３したものを示し、また、図２は、２本の角ワイヤー３０を端子３２の表面に並列させた配置とし溶接接続３３したものを示している。
【０００５】
また、接続する角ワイヤー３０の本数を、例えば２本に増やす場合、端子３２との接続工程において２本の角ワイヤー３０を同時に溶接すると、それぞれの端子３２との位置ずれ等が原因で接続面の管理が困難となり、接続信頼性を保つのは難しいという問題があった。
【０００６】
これを解決するために、幅の広い角ワイヤーを用いた場合には、低い電流に対してはコストアップの要因となり、また、角ワイヤーの種類を増やしてもコストアップの要因となってしまうという問題があった。
【０００７】
そこで、本発明は、複数本の角ワイヤーと端子との同時接続を容易に行うことができる角ワイヤーを用いた電源配索構造の提供を目的とする。
【０００８】
【問題を解決するための手段】
上記目的を達成するために、請求項１の発明は、角ワイヤーを用いた電源配索構造であって、１本の角ワイヤーを任意の長さで折り曲げ、さらに折返して折返し接続部を形成し、この折返し接続部から並行する２本の角ワイヤーが形成されて、２本の角ワイヤーが繋がれて新たな１本の角ワイヤーが形成され、前記折返し接続部を端子に溶接接続することにより電源配索構造が構成されていることを特徴としている。
【０００９】
請求項１の発明では、１本の角ワイヤーを任意の長さで折り曲げ、さらに折返して折返し接続部を形成し、この折返し接続部から並行する２本の角ワイヤーが形成されて、２本の角ワイヤーが繋がれて新たな１本の角ワイヤーが形成され、前記折返し接続部を端子に溶接接続するように構成しているため、繋がった１本の角ワイヤー３として端子と接続されるため、接続時の制御も容易になり、接続信頼性を損ねることなく、より高い電流値の回路への対応が可能となる。
【００１０】
従って、電流値の高い電源回路の配索に対して、幅の広い角ワイヤーを使用したり、角ワイヤーの種類を増やすことによるコストアップを生じることなく、高い電流値の回路配索を容易に実現することができる。
【００１１】
請求項２の発明は、請求項１記載の角ワイヤーを用いた電源配索構造であって、前記折返し接続部が平面的に折り返されていることを特徴としている。
【００１２】
請求項１の構成と同等の作用、効果が得られる他に、折返し接続部を平面的に折り返して形成したので、端子への接続時に接触面積を大きく取ることができる。
【００１３】
【発明の実施の形態】
以下、本発明の実施形態について、図面を用いて説明する。
【００１４】
図１は、本発明の実施形態を示す角ワイヤーを用いた電源配索構造の斜視図である。
【００１５】
図１に示すように、本実施形態の角ワイヤーを用いた電源配索構造５は、１本の角ワイヤー１を任意の長さで折り曲げ、さらに折り返して折返し接続部２を形成し、この折返し接続部２から並行する２本の角ワイヤー１、１を形成して、２本の角ワイヤー１が繋がった１個の角ワイヤー３が構成されている。
【００１６】
そして、前記角ワイヤー３の折返し接続部２を端子４に溶接５により接続することにより、電源配索構造６が構成されている。
【００１７】
上記の構成により、本実施形態の角ワイヤー３を用いた電源配索構造６は、１本の角ワイヤー１よりも２倍の電流値の電流を流すことができる。
【００１８】
さらに、繋がった１本の角ワイヤー３として端子４と接続されるため、接続時の制御も容易になり、接続における信頼性を損ねることなく、より高い電流値の回路への対応が可能となる。
【００１９】
従って、電流値の高い電源回路の配索に対して、幅の広い角ワイヤーを使用したり、角ワイヤーの種類を増やすことによるコストアップを生じることなく、高い電流値の回路配索を容易に実現することができる。
【００２０】
また、本実施形態によれば、折返し接続部を２を平面的に形成したことで、端子４への接触面積を大きくすることができる。
【００２１】
なお、本実施形態では、折返し接続部を略直角に折り曲げた例について説明したが、これに限らず、弧状に折り曲げても、階段状に折り曲げても良い。
【００２２】
さらに、本実施形態では、折返し接続部を平面上に折り曲げたが、折り曲げた角ワイヤが重なるように折り曲げても良い。
【００２３】
【発明の効果】
本発明の請求項１の角ワイヤーを用いた電源配索構造は、１本の角ワイヤーを任意の長さで折り曲げてさらに折り返して折返し接続部を形成し、この折返し接続部から並行する２本の角ワイヤーを形成して、２本の角ワイヤーが繋がった新たな１本の角ワイヤーが構成されている。
【００２４】
そして、前記新たな角ワイヤーの折返し接続部を端子に溶接接続することにより、電源配索構造が構成されている。
【００２５】
上記の構成により、本実施形態の角ワイヤーを用いた電源配索構造は、１本の角ワイヤーよりも２倍の電流値の電流を流すことができる。
【００２６】
さらに、繋がった１本の角ワイヤーと端子とが接続されるため、接続時の制御も容易になり、接続信頼性を損ねることなく、より高い電流値の回路への対応が可能となる。
【００２７】
請求項２の発明によれば、請求項１の構成と同等の効果が得られる他に、端子への接触面積を大きくとることができる。
【図面の簡単な説明】
【図１】本発明の実施形態を示す角ワイヤーを用いた電源配索構造の斜視図である。
【図２】従来において、２本の角ワイヤーを端子の表面に並列させた配置とし溶接接続したものを示す斜視図である。
【図３】従来において、導通路として用いた電線をコネクタ端子４１に圧接した例を示す斜視図である。
【図４】従来において（ａ）は２本の角ワイヤーを端子の表裏に重ね合わせた配置とし溶接接続したものを示す側断面図、（ｂ）２本の角ワイヤーを端子の表裏に重ね合わせた配置とし溶接接続したものを示す斜視図である。
【図５】従来の角ワイヤーを示す斜視図である。
【図６】従来において端子３２に角ワイヤー３０を溶接した例を示す斜視図である。
【符号の説明】
１　角ワイヤー
２　折返し接続部
３　角ワイヤー
４　端子
５　溶接接続
６　電源配索構造
【図１】
2004023844.tif 000003
【図２】
2004023844.tif 000004
【図３】
2004023844.tif 000005
【図４】
2004023844.tif 000006
【図５】
2004023844.tif 000007
【図６】
2004023844.tif 000008